(57)【要約】【課題】極めて簡単な構成で、チャンネル選局に制限を設ける。【解決手段】テレビジョン放送信号の受信時、チューナ回路２から出力される中間周波数の中心周波数に対応したＡＦＴ電圧に基づいて受信チャンネルの選局制御を行う制御部９を備えたテレビジョン受像機において、制御部９は、受信チャンネルの選局を制限する選局制限機能を備えており、この選局制限機能によりチャンネル選局が制限されている場合には、ＡＦＴ電圧レベルを強制的にＨまたはＬに制御することでテレビジョン放送信号の受信自体を制限するチャンネル選局制限モードを実行する。【選択図】  図１
2004328683.tif 000002
【特許請求の範囲】
【請求項１】
テレビジョン放送信号の受信時、チューナ回路から出力される中間周波数の中心周波数に対応したＡＦＴ電圧に基づいて受信チャンネルの選局制御を行うとともに、映像・同期信号処理部を制御して映像信号から水平同期信号及び垂直同期信号を分離する制御手段を備えたテレビジョン受像機において、
受信チャンネルの選局を制限する選局制限手段と、
チャンネル選局を制限する時間帯を設定可能な時間設定手段と、
チャンネル選局の制限対象外のチャンネルを設定可能なチャンネル設定手段と、
前記選局制限手段により設定されたチャンネル選局の制限を解除する設定解除手段とを備えており、
前記制御手段は、前記選局制限手段によりチャンネル選局が制限されている場合には、前記ＡＦＴ電圧レベルを強制的にＨまたはＬに制御することでテレビジョン放送信号の受信自体を制限するとともに、前記映像・同期信号処理部から取り出した水平同期信号の周波数を変更して映像を乱すことによってチャンネル選局を制限するチャンネル選局制限モードを実行する一方、前記時間設定手段により設定されたチャンネル選局制限時間帯が経過した場合、または前記チャンネル設定手段によって制限対象外に設定されたチャンネルを受信している場合、または前記設定解除手段により設定解除のための暗証番号が入力された場合には、前記チャンネル選局制限モードを解除して通常通り受信チャンネルの選局制御を行うことを特徴とするチャンネル選局制限機能を有するテレビジョン受像機。
【請求項２】
テレビジョン放送信号の受信時、チューナ回路から出力される中間周波数の中心周波数に対応したＡＦＴ電圧に基づいて受信チャンネルの選局制御を行う制御手段を備えたテレビジョン受像機において、
受信チャンネルの選局を制限する選局制限手段を備えており、
前記制御手段は、前記選局制限手段によりチャンネル選局が制限されている場合には、前記ＡＦＴ電圧レベルを強制的にＨまたはＬに制御することでテレビジョン放送信号の受信自体を制限するチャンネル選局制限モードを実行することを特徴とするチャンネル選局制限機能を有するテレビジョン受像機。
【請求項３】
テレビジョン放送信号の受信時、チューナ回路から出力される中間周波数の中心周波数に対応したＡＦＴ電圧に基づいて受信チャンネルの選局制御を行うとともに、映像・同期信号処理部を制御して映像信号から水平同期信号及び垂直同期信号を分離する制御手段を備えたテレビジョン受像機において、
受信チャンネルの選局を制限する選局制限手段を備えており、
前記制御手段は、前記選局制限手段によりチャンネル選局が制限されている場合には、前記ＡＦＴ電圧レベルを強制的にＨまたはＬに制御することでテレビジョン放送信号の受信自体を制限するとともに、前記映像・同期信号処理部から取り出した水平同期信号の周波数を変更して映像を乱すことによってチャンネル選局を制限するチャンネル選局制限モードを実行することを特徴とするチャンネル選局制限機能を有するテレビジョン受像機。
【請求項４】
チャンネル選局を制限する時間帯を設定可能な時間設定手段を備えており、
前記制御手段は、前記時間設定手段により設定されたチャンネル選局制限時間帯が経過したときには、前記チャンネル選局制限モードを解除して通常通り受信チャンネルの選局制御を行うことを特徴とする請求項２または請求項３に記載のチャンネル選局制限機能を有するテレビジョン受像機。
【請求項５】
チャンネル選局の制限対象外のチャンネルを設定可能なチャンネル設定手段を備えており、
前記制御手段は、前記チャンネル設定手段によって制限対象外に設定されたチャンネルを受信している場合には、前記チャンネル選局制限モードを解除して通常通り受信チャンネルの選局制御を行うことを特徴とする請求項２または請求項３に記載のチャンネル選局制限機能を有するテレビジョン受像機。
【請求項６】
前記チャンネル選局制限モードを解除する設定解除手段を備えており、この設定解除手段は、前記時間設定手段によるチャンネル選局制限時間帯の設定時に同時に設定された暗証番号を入力することでチャンネル選局制限モードを解除することを特徴とする請求項４に記載のチャンネル選局制限機能を有するテレビジョン受像機。
【請求項７】
前記チャンネル選局制限モードを解除する設定解除手段を備えており、この設定解除手段は、前記チャンネル設定手段による制限対象外のチャンネル設定時に同時に設定された暗証番号を入力することでチャンネル選局制限モードを解除することを特徴とする請求項５に記載のチャンネル選局制限機能を有するテレビジョン受像機。
【請求項８】
前記チャンネル選局制限モードを解除する設定解除手段を備えており、この設定解除手段は、予め登録されている暗証番号を入力することでチャンネル選局制限モードを解除することを特徴とする請求項４または請求項５に記載のチャンネル選局制限機能を有するテレビジョン受像機。
【発明の詳細な説明】
【０００１】
【発明の属する技術分野】
本発明は、テレビジョン放送信号の受信時、チューナ回路から出力されるＡＦＴ電圧に基づいて受信チャンネルの選局制御を行うとともに、映像・同期信号処理部を制御して映像信号から水平同期信号及び垂直同期信号を分離する制御手段を備えたテレビジョン受像機に係り、より詳細には、受信チャンネルの選局を制限するチャンネル選局制限機能を有するテレビジョン受像機に関する。
【０００２】
【従来の技術】
近時、視聴制限機能を有するテレビジョン受像機が提供されている（例えば、特許文献１参照）。
【０００３】
この視聴制限機能を実現するためには、放送する番組のそれぞれに対し、視聴制限のランクを示すデータを付加し、テレビジョン受像機側では、視聴が可能となるランクを予め設定できるようになっている。そして、設定したランクが視聴可能である番組のみ受信する構成となっている。
このような視聴制限機能を有するテレビジョン受像機によれば、例えば暴力シーンや性的シーンを含む映像信号の視聴を制限することができる。
【０００４】
【特許文献１】
実用新案登録第３０５８３１６号公報
【０００５】
【発明が解決しようとする課題】
しかしながら、このような視聴制限を実現するためには、放送する番組のそれぞれに対し、視聴制限のランクを示すデータを付加する必要があるため、このようなデータが付加されていないテレビジョン放送信号を受信している場合には、視聴制限が全く機能しないといった問題があった。また、時間帯を制限して、例えば２３時から翌朝６時までは全チャンネルの選局を制限するといったことも、上記した視聴制限機能では実現できないといった問題があった。
【０００６】
本発明は係る問題点を解決すべく創案されたもので、その目的は、極めて簡単な構成で、チャンネル選局に制限を設けることのできるチャンネル選局制限機能を有するテレビジョン受像機を提供することにある。
【０００７】
【課題を解決するための手段】
本発明のチャンネル選局制限機能を有するテレビジョン受像機は、テレビジョン放送信号の受信時、チューナ回路から出力される中間周波数の中心周波数に対応したＡＦＴ電圧に基づいて受信チャンネルの選局制御を行う制御手段を備えたテレビジョン受像機において、受信チャンネルの選局を制限する選局制限手段を備えており、前記制御手段は、前記選局制限手段によりチャンネル選局が制限されている場合には、前記ＡＦＴ電圧レベルを強制的にＨまたはＬに制御することでテレビジョン放送信号の受信自体を制限するチャンネル選局制限モードを実行することを特徴とする。
【０００８】
すなわち、本発明によれば、ＡＦＴ電圧レベルを強制的にＨまたはＬに制御するといった簡単な制御で、チャンネル選局を制限することができる。
【０００９】
また、本発明のチャンネル選局制限機能を有するテレビジョン受像機は、テレビジョン放送信号の受信時、チューナ回路から出力されるＡＦＴ電圧に基づいて受信チャンネルの選局制御を行うとともに、映像・同期信号処理部を制御して映像信号から水平同期信号及び垂直同期信号を分離する制御手段を備えたテレビジョン受像機において、受信チャンネルの選局を制限する選局制限手段を備えており、前記制御手段は、前記選局制限手段によりチャンネル選局が制限されている場合には、前記ＡＦＴ電圧レベルを強制的にＨまたはＬに制御することでテレビジョン放送信号の受信自体を制限するとともに、前記映像・同期信号処理部から取り出した水平同期信号の周波数を変更して映像を乱すことによってチャンネル選局を制限するチャンネル選局制限モードを実行することを特徴とする。
【００１０】
すなわち、本発明によれば、ＡＦＴ電圧レベルを強制的にＨまたはＬに制御するといった簡単な制御で、チャンネル選局を制限することができるとともに、ＡＦＴ電圧レベルの制御では制限が不十分である場合（まだ、映像信号が視聴可能である場合）を考慮して、さらに、映像・同期信号処理部から取り出した水平同期信号の周波数を変更することにより、映像を乱すことによって、より確実にチャンネル選局を制限するものである。
【００１１】
この場合、チャンネル選局を制限する時間帯を設定可能な時間設定手段を備えており、前記制御手段は、前記時間設定手段により設定されたチャンネル選局制限時間帯が経過したときには、前記チャンネル選局制限モードを解除して従来通り受信チャンネルの選局制御を行う構成としてもよい。これにより、例えばチャンネル選局制限時間帯を午後１１時から翌日の午前６時までと設定した場合には、午前６時以降は通常通りチャンネル選局が可能（すなわち、視聴が可能）となる。
【００１２】
また、チャンネル選局の制限対象外のチャンネルを設定可能なチャンネル設定手段を備えており、前記制御手段は、前記チャンネル設定手段によって制限対象外に設定されたチャンネルを受信している場合には、前記チャンネル選局制限モードを解除して従来通り受信チャンネルの選局制御を行う構成としてもよい。これにより、例えば教育放送などを制限対象外のチャンネルとして設定しておけば、チャンネル選局制限モードであっても、教育放送については通常通りチャンネル選局が可能（すなわち、視聴が可能）となる。
【００１３】
また、前記チャンネル選局制限モードを解除する設定解除手段を備えており、この設定解除手段は、前記時間設定手段によるチャンネル選局制限時間帯の設定時、または前記チャンネル設定手段による制限対象外のチャンネル設定時に同時に設定された暗証番号を入力することでチャンネル選局制限モードを解除する構成としてもよい。これにより、暗証番号を入力することで、チャンネル選局制限モードをいつでも解除することができる。この場合、暗証番号をその都度ユーザが設定できるので、他の者（例えば、子供等）に簡単に暗証番号が知られてしまうといった不具合を解消することができる。ただし、暗証番号については、設定と同時に入力するのではなく、予め内部メモリ等に登録されていてもよい。
【００１４】
【発明の実施の形態】
以下、本発明の実施の形態について、図面を参照して説明する。
図１は、本発明のチャンネル選局制限機能を有するテレビジョン受像機のハードウェア構成を示すブロック図である。
【００１５】
同図において、地上波のテレビジョン放送信号を受信するアンテナ１は、チューナ回路２に接続されている。チューナ回路２は、アンテナ１で受信したテレビジョン放送信号の中から所定の局のテレビジョン放送信号を選局して高周波増幅し、中間周波信号に変換して出力する。本実施形態では、チューナ回路２はＰＬＬ選局制御方式を採用しており、所定の周波数データの入力に基づいて局部発振周波数を直接制御することにより、受信周波数を制御するようになっている。また、チューナ回路２は、実際の映像搬送波の周波数と基準周波数とのずれに応じたＡＦＴ電圧を発生するようになっており、このＡＦＴ電圧が、本受像機全体の動作を制御する制御部（マイコン）９に供給されるようになっている。
【００１６】
チューナ回路２から出力された中間周波信号は、ＩＦ信号処理回路３にて映像中間周波増幅されて映像・同期信号処理回路４に出力される。また、音声中間周波信号は、映像中間周波増幅の過程において取り出され、音声信号処理回路７にてＦＭ検波された後、適宜増幅されてスピーカ８から出力される。
【００１７】
映像・同期信号処理回路４は、入力された映像中間周波増幅信号を映像検波した後、その検波出力に基づいて水平同期信号Ｈ及び垂直同期信号Ｖを分離し、同期偏向回路５に出力する。また、映像・同期信号処理回路４から出力された映像信号（ＲＧＢ）は、ＣＲＴ等の受像管６に供給される。さらに、映像・同期信号処理回路４にて分離された同期信号が制御部９に供給されるようになっている。
【００１８】
制御部９には、後述する制限対象外のチャンネルデータや選局制限時間帯データなどを含む各種データを格納するためのメモリ部１０が接続されるとともに、後述する各種機能の設定を行うための機能設定入力部１１が接続されている。機能設定入力部１１としては、例えばリモコン等があり、機能設定入力部１１がリモコンである場合には、制御部９と機能設定入力部１１とは、図示しない受信部及び送信部を備えた赤外線通信によって接続されることになる。
【００１９】
制御部９は、チューナ回路２、ＩＦ信号処理回路３、映像・同期処理回路４をそれぞれ制御して、ユーザの所望するチャンネルを選局し、その受信チャンネルの映像を受像管６に表示する。
【００２０】
すなわち、選局動作時、制御部９は、選択されたチャンネルの中心周波数をチューナ回路２に送出し、チューナ回路２は、対応するチャンネル周波数に同調する。そのため、そのチャンネル周波数にテレビジョン放送信号が存在すれば、映像・同期信号処理回路４がそのテレビジョン放送信号から同期信号を分離して制御部９に供給する。制御部９は、同期信号を検出すると、次にＡＦＴ変化点を検出可能であるか否かを判断する。ここで、ＡＦＴ電圧の電圧特性は、図示は省略しているが、正規同調点を中心とした逆Ｓ字状の電圧特性を有している。そのため、ＡＦＴ電圧は、正規同調点からわずかにずれた場合、そのずれの方向に応じて単純増加または単純減少の傾向を示すので、ＩＦ信号処理回路３から供給されるＡＦＴ電圧と正規同調点の電圧とを比較すれば、ずれの方向が判明することになる。従って、制御部９では、ＡＦＴ電圧と正規同調点の電圧とが一致するようにチューナ回路２の同調周波数を調整することで、所望するチャンネルのテレビジョン放送信号を受信することができる。
【００２１】
図２は、ＡＦＴ電圧と中間（ＩＦ）周波数との関係を示している。
中間周波数は、日本では５８．７５ＭＨｚとなっており、同調が取れている場合のＡＦＴ電圧は、基準電圧（２．５Ｖ）となる。そして、この同調点から上下に数１００ＫＨｚ程度周波数がずれると、ＡＦＴ電圧は、基準電圧（２．５Ｖ）から５Ｖまたは０Ｖまで変化する。
【００２２】
このような構成のテレビジョン受像機において、本実施形態では、制御部９は以下に示すような機能を備えている。
【００２３】
すなわち、受信チャンネルの選局を制限する選局制限機能と、チャンネル選局を制限する時間帯を設定可能な時間設定機能と、チャンネル選局の制限対象外のチャンネルを設定可能なチャンネル設定機能と、選局制限機能により設定されたチャンネル選局の制限を解除する設定解除機能とを備えている。そして、選局制限機能によりチャンネル選局が制限されている場合には、ＡＦＴ電圧レベルを強制的にＨまたはＬに制御することでテレビジョン放送信号の受信自体を制限するチャンネル選局制限モードを実行する。また、映像・同期信号処理部４から取り出した水平同期信号の周波数を変更して映像を乱すことによってチャンネル選局を制限するチャンネル選局制限モードを実行する。さらに、時間設定機能により設定されたチャンネル選局制限時間帯が経過した場合や、チャンネル設定機能によって制限対象外に設定されたチャンネルを受信している場合や、設定解除機能により設定解除のための暗証番号が入力された場合には、チャンネル選局制限モードを解除して通常通り受信チャンネルの選局制御を行うようになっている。ここで、チャンネル選局制限時間帯の計測は、制御部９の図示しない時計機能を利用して行っている。
【００２４】
次に、上記構成のテレビジョン受像機において、本発明の特徴であるチャンネル選局制限機能の処理動作について、具体的に実施例を挙げて説明する。
【００２５】
＜実施例１＞
本実施例１は、ＡＦＴ電圧の制御のみでチャンネル選局制限を行う実施例である。
ユーザが、機能設定入力部１１を使用して本受像機をチャンネル選局制限モードに設定する操作を行うと、制御部９では、この操作信号を受けて本受像機をチャンネル選局制限モードに設定する。
【００２６】
すなわち、制御部９は、選局動作時、ＩＦ信号処理回路３からのＡＦＴ電圧に基づき、このＡＦＴ電圧レベルがＨレベル（５Ｖ）またはＬレベル（０Ｖ）となるように、選択されたチャンネルの同調周波数を中心周波数からずらせるようにチューナ回路２を制御する。これにより、テレビジョン放送信号自体の受信ができなくなり、チャンネル選局を制限することができる。
【００２７】
＜実施例２＞
上記実施例１では、チャンネル選局制限をＡＦＴ電圧の制御のみで行っているが、ＡＦＴ電圧の制御のみではチャンネル選局制限が不十分な場合が考えられる。すなわち、映像は多少乱れるものの、視聴可能な場合も考えられる。そこで、本実施例２では、ＡＦＴ電圧の制御に加え、映像・同期信号処理回路４で分離された水平同期信号にも着目し、水平同期信号の同期をずらせることでチャンネル選局制限をより確実に行うようにしたものである。
【００２８】
ユーザが、機能設定入力部１１を使用して本受像機をチャンネル選局制限モードに設定する操作を行うと、制御部９では、この操作信号を受けて本受像機をチャンネル選局制限モードに設定する。
【００２９】
すなわち、制御部９は、選局動作時、ＩＦ信号処理回路３からのＡＦＴ電圧に基づき、このＡＦＴ電圧レベルがＨレベル（５Ｖ）またはＬレベル（０Ｖ）となるように、選択されたチャンネルの同調周波数を中心周波数からずらせるようにチューナ回路２を制御する。これと同時に、制御部９は、映像・同期信号処理回路４に対して水平同期信号の変更指示を出力し、水平同期信号を外して映像を乱すように制御する。
【００３０】
ここで、水平同期信号（１５．７３４ＫＨｚ）の周波数変更については、次のようにして行うことができる。制御部９は、映像・同期信号処理回路４をバス制御することにより、水平同期信号の周波数を例えば１５．２ＫＨｚから１６．３ＫＨｚまで約１３７Ｈｚ間隔で８段階（０〜７）にずらせることができる。従って、映像・同期信号処理回路４に「０」または「７」の段階を指示することにより、水平同期信号の周波数を大きくずらせることができる。これにより、テレビジョン放送信号自体の受信ができなくなり、チャンネル選局を確実に制限することができる。
【００３１】
＜実施例３＞
上記実施例１及び実施例２は、本発明の最も基本的な実施例であるが、本実施例３では、このような実施例１または実施例２の処理動作を前提として、これに新たな機能を付加したものである。以下、本実施例３の処理動作について、図３に示す入力画面例及び図４に示す動作フローチャートを参照して説明する。
【００３２】
ユーザが、機能設定入力部１１を使用して本受像機をチャンネル選局制限モードに設定する操作を行うと、制御部９では、この操作信号を受けて本受像機をチャンネル選局制限モードに設定する。
この場合、ユーザは、機能設定入力部１１を使用して、各種の付加機能を設定できるようになっている。
【００３３】
図３は、機能設定入力部１１を使用して各種付加機能を設定するための入力画面３０を示している。この入力画面３０は、例えば映像・同期信号処理回路４に含まれているＯＳＤ（オンスクリーンディスプレイ）機能を利用して、受像管６の画面に表示される。
【００３４】
この入力画面３０には、チャンネル選局を制限する時間帯を設定するための時間帯設定窓３１、チャンネル選局の制限対象外のチャンネルを設定するチャンネル設定窓３２、チャンネル選局制限モードを途中で解除するためのパスワード（暗証番号）を設定するパスワード設定窓３３が設けられており、パスワード設定窓３３の下には、これらの設定をキャンセルするためのキャンセルボタン３４、設定内容を変更するための変更ボタン３５、設定内容を確定するための決定ボタン３６が設けられている。
【００３５】
ここで、本実施例３では、チャンネル選局を制限する時間帯、チャンネル選局の制限対象外のチャンネル、及びチャンネル選局制限モードを途中で解除するためのパスワード、の全てが設定されている場合について説明する。すなわち、チャンネル選局を制限する時間帯については、「ＰＭ１１：００〜ＡＭ６：００」と設定されており、チャンネル選局の制限対象外のチャンネルについては、「２ＣＨ、１２ＣＨ」が設定されており、チャンネル選局制限モードを途中で解除するためのパスワードについては、例えば「１２３４」といった４桁（または５桁）の数字が設定されているものとする。
【００３６】
チャンネル選局制限モード時、制御部９は、チャンネル選局を制限する時間帯が設定されているか否かを確認する（ステップＳ１）。その結果、制限時間帯が設定されている場合には、その設定内容をメモリ部１０に格納する（ステップＳ２）。ここでは、「ＰＭ１１：００〜ＡＭ６：００」のデータを格納する。
【００３７】
また、制御部９は、チャンネル選局の制限対象外のチャンネルが設定されているか否かを確認する（ステップＳ３）。その結果、制御対象外のチャンネルが設定されている場合には、その設定内容をメモリ部１０に格納する（ステップＳ４）。ここでは、「２ＣＨ、１２ＣＨ」のデータを格納する。
【００３８】
さらに、制御部９は、チャンネル選局制限モードを途中で解除するためのパスワードが設定されているか否かを確認する（ステップＳ５）。その結果、パスワードが設定されている場合には、その設定内容をメモリ部１０に格納する（ステップＳ６）。ここでは、「１２３４」のデータを格納する。
【００３９】
この後、制御部９は、ユーザにより機能設定入力部１１であるリモコンを使用して、先程設定したパスワードが入力されたか否か（ステップＳ７）、メモリ部１０に格納されているチャンネル選局の制限時間帯を経過したか否か（ステップＳ８）、及び機能設定入力部１１であるリモコンを使用して選局動作が行われたか否か（ステップＳ９）、を常に監視する。
【００４０】
その結果、メモリ部１０に格納されているパスワードと同じパスワードが入力された場合（ステップＳ７でＹｅｓと判断された場合）、及びチャンネル選局の制限時間帯を経過している場合（ステップＳ８でＹｅｓと判断された場合）には、チャンネル選局制限モードを解除する（ステップＳ１３）。
【００４１】
一方、パスワードが入力されることなく、チャンネル選局の制限時間帯を経過することなく、選局動作が行われた場合（ステップＳ７でＮｏ、ステップＳ８でＮｏ、ステップＳ９でＹｅｓと判断された場合）には、選局動作により選局されたチャンネルがメモリ部１０に格納されている制限対象外のチャンネルであるか否かを確認する（ステップＳ１０）。その結果、選局動作が制限対象外のチャンネル以外のチャンネル（例えば、４ＣＨ、６ＣＨ等）である場合（ステップＳ１０でＮｏと判断された場合）には、チャンネル選局制限モードを実行し、受像管６への映像表示を制限（禁止）する（ステップＳ１１）。
【００４２】
すなわち、ＩＦ信号処理回路３からのＡＦＴ電圧に基づき、このＡＦＴ電圧レベルがＨレベル（５Ｖ）またはＬレベル（０Ｖ）となるように、選択されたチャンネルの同調周波数を中心周波数からずらせるようにチューナ回路２を制御する。または、映像・同期信号処理回路４に対して水平同期信号の変更指示を出力し、水平同期信号を外して映像を乱すように制御する。これにより、テレビジョン放送信号自体の受信ができなくなり、チャンネル選局を制限することができる。
【００４３】
一方、選局動作が制限対象外のチャンネル（２ＣＨまたは４ＣＨ）である場合（ステップＳ１０でＹｅｓと判断された場合）には、通常通り選局動作を実行し、受像管６に受信映像を表示する（ステップＳ１２）。
【００４４】
なお、上記実施例３では、パスワードについては、入力画面３０により各種機能を設定する時に同時に設定する構成としているが、このような設定方法ではなく、予めメモリ部１０等に登録しておいてもよい。
【００４５】
【発明の効果】
本発明のチャンネル選局制限機能を有するテレビジョン受像機によれば、ＡＦＴ電圧レベルを強制的にＨまたはＬに制御するといった簡単な制御で、チャンネル選局を制限することができる。
【００４６】
また、本発明のチャンネル選局制限機能を有するテレビジョン受像機によれば、ＡＦＴ電圧レベルを強制的にＨまたはＬに制御するといった簡単な制御で、チャンネル選局を制限することができるとともに、ＡＦＴ電圧レベルの制御では制限が不十分である場合を考慮して、さらに、映像・同期信号処理部から取り出した水平同期信号の周波数を変更することにより、映像を乱すことによって、より確実にチャンネル選局を制限することができる。
【００４７】
この場合、チャンネル選局を制限する時間帯を設定可能な時間設定手段を備えており、制御手段は、時間設定手段により設定されたチャンネル選局制限時間帯が経過したときには、チャンネル選局制限モードを解除して通常通り受信チャンネルの選局制御を行う構成としてもよい。これにより、例えばチャンネル選局制限時間帯を午後１１時から翌日の午前６時までと設定した場合には、午前６時以降は通常通りチャンネル選局が可能（すなわち、視聴が可能）となる。
【００４８】
また、チャンネル選局の制限対象外のチャンネルを設定可能なチャンネル設定手段を備えており、制御手段は、チャンネル設定手段によって制限対象外に設定されたチャンネルを受信している場合には、チャンネル選局制限モードを解除して通常通り受信チャンネルの選局制御を行う構成としてもよい。これにより、例えば教育放送などを制限対象外のチャンネルとして設定しておけば、チャンネル選局制限モードであっても、教育放送については通常通りチャンネル選局が可能（すなわち、視聴が可能）となる。
【００４９】
また、チャンネル選局制限モードを解除する設定解除手段を備えており、この設定解除手段は、設定された暗証番号を入力することでチャンネル選局制限モードを解除する構成としてもよい。これにより、暗証番号を入力することで、チャンネル選局制限モードをいつでも解除することができる。この場合、暗証番号をその都度ユーザが設定できるので、他の者に簡単に暗証番号が知られてしまうといった不具合を解消することができる。
【図面の簡単な説明】
【図１】本発明のチャンネル選局制限機能を有するテレビジョン受像機のハードウェア構成を示すブロック図である。
【図２】ＡＦＴ電圧と中間（ＩＦ）周波数との関係を示すグラフである。
【図３】チャンネル選局制限機能の処理動作において、各種付加機能を入力する入力画面例を示す説明図である。
【図４】本発明のチャンネル選局制限機能を有するテレビジョン受像機におけるチャンネル選局制限機能の処理動作を説明するためのフローチャートである。
【符号の説明】
１  アンテナ
２  チューナ回路
３  ＩＦ信号処理回路
４  映像・同期信号処理回路
５  同期偏向回路
６  受像管
７  音声信号処理回路
８  スピーカ
９  制御部（マイコン）
１０  メモリ部
１１  機能設定入力部（リモコン）
【図１】
2004328683.tif 000003
【図２】
2004328683.tif 000004
【図３】
2004328683.tif 000005
【図４】
2004328683.tif 000006